(57)【要約】【課題】各定電流出力回路がＬＥＤに流す定電流が同時にオン・オフすることを回避する。【解決手段】ＰＷＭ信号発生回路２１は単相のＰＷＭ信号を出力する。位相差発生回路２２は、そのＰＷＭ信号に基づいて位相差を有するｎ相（ここではｎ＝３）のＰＷＭ信号をそれぞれ定電流出力回路ＯＵＴ１〜ＯＵＴ３出力する。定電流出力回路ＯＵＴ１〜ＯＵＴ３は、ＰＷＭ信号に基づくタイミングで定電流Ｉ１〜Ｉ３をそれぞれＬＥＤ群Ｇ１〜Ｇ３に流す。ｎ相のＰＷＭ信号の位相差を等しくすることにより、トータルの出力電流の変化幅を定電流Ｉ１〜Ｉ３のレベルに抑えることができる。したがって、ＬＥＤドライバ１に供給される電源電圧の変動を抑えることができる。【選択図】図１
2009188135.tif 000002
【特許請求の範囲】
【請求項１】
複数の定電流出力回路を有し、各定電流出力回路に接続されたＬＥＤの輝度をＰＷＭ信号により制御するＰＷＭ制御手段を備えたＬＥＤドライバにおいて、
前記ＰＷＭ信号に基づいて、順次位相差を設けた、前記定電流出力回路と同数のＰＷＭ信号を各定電流出力回路に出力する多相ＰＷＭ信号発生手段を備えていることを特徴とするＬＥＤドライバ。
【請求項２】
前記多相ＰＷＭ信号の位相差の和が３６０度であることを特徴とする請求項１に記載のＬＥＤドライバ。
前記多相ＰＷＭ信号の最も遅れた位相の位相遅れが、最も早い位相に対して１８０度以上でかつ３６０度未満であることを特徴とする請求項１に記載のＬＥＤドライバ。
【請求項３】
前記多相ＰＷＭ信号の位相差が略等しいことを特徴とする請求項２に記載のＬＥＤドライバ。
【請求項４】
前記多相ＰＷＭ信号発生手段が前記ＰＷＭ信号を前記位相差分遅延させるロジックカウンターであることを特徴とする請求項１、２または３に記載のＬＥＤドライバ。
【請求項５】
前記多相ＰＷＭ信号発生手段が前記ＰＷＭ信号を前記位相差分遅延させる時定数回路であることを特徴とする請求項１、２または３に記載のＬＥＤドライバ。
【請求項６】
複数の定電流出力回路を有し、各定電流出力回路に接続されたＬＥＤの輝度をＰＷＭ信号により制御するＬＥＤドライバにおいて、
前記ＰＷＭ信号に位相差が設けられた多相ＰＷＭ信号を外部から個々に入力し、それぞれ対応する前記定電流出力回路に接続されている入力端子を備えていることを特徴とするＬＥＤドライバ。
【請求項７】
前記ＬＥＤが、バックライトユニットに設けられ、ブロック単位で各定電流出力回路による電流供給を受け、
前記多相ＰＷＭ信号発生手段が、ブロック毎に設けられた各定電流出力回路に対して、多相ＰＷＭ信号を発生し、
前記ＰＷＭ制御手段が、前記ＰＷＭ信号のデューティ比をそれぞれ変更することを特徴とする請求項１、２、３または６に記載のＬＥＤドライバ。
【請求項８】
前記ＰＷＭ制御手段が、周囲光の照度を測定する照度センサーによる測定結果に基づいて前記ＰＷＭ信号のデューティ比を制御することを特徴とする請求項１、２または３に記載のＬＥＤドライバ。
【請求項９】
前記ＰＷＭ制御手段が、液晶パネルに表示する映像の輝度に基づいて前記ＰＷＭ信号のデューティ比を制御することを特徴とする請求項１、２または３に記載のＬＥＤドライバ。
【請求項１０】
前記ＬＥＤを備えた電子機器であって、
請求項１から９のいずれか１項に記載のＬＥＤドライバを前記ＬＥＤを駆動するために備えていることを特徴とする電子機器。
【発明の詳細な説明】
【技術分野】
【０００１】
本発明は、表示装置、照明機器等の電子機器に好適に用いられるＬＥＤを駆動するＬＥＤドライバに関するものである。
【背景技術】
【０００２】
液晶表示装置においては、バックライト用の照明装置としてＬＥＤを光源に用いることが普及してきている。例えば、特許文献１には、液晶表示装置用の照明装置として、赤色ＬＥＤ、緑色ＬＥＤおよび青色ＬＥＤによって合成した白色光を得ることが記載されている。
【０００３】
このような照明装置においては、ＬＥＤの駆動にＰＷＭ制御が用いられている（特許文献２）。また、白色のＬＥＤを使用したバックライトの場合、その輝度を調整するのにＬＥＤの点灯時間を制御するＰＷＭ制御が広く使用されている。左記制御方式では、制御入力に対する光出力がリニアであるといった特長がある。また、ＬＥＤを駆動する電流値が一定であるため、発光の色温度が変化しないといった特長がある。
【０００４】
適応する液晶のサイズが大きくなるにつれ、使用するＬＥＤの灯数も増加していき、定電流出力回路でまかなえる直列灯数を超えると、ＬＥＤを駆動する定電流出力回路数も複数個以上必要となり、その数も増加していく。
【０００５】
図９に定電流出力回路数が３のＬＥＤドライバ１０１のブロック図の例を示す。
【０００６】
図９に示すように、ＬＥＤドライバ１０１は、ＰＷＭ部（図中、ＰＷＭ）１０２と、定電流出力回路ＯＵＴ１０１〜ＯＵＴ１０３とを備えている。ＰＷＭ部１０２から出力されるＰＷＭ信号は、共通して定電流出力回路ＯＵＴ１０１〜ＯＵＴ１０３に与えられる。定電流出力回路ＯＵＴ１０１〜ＯＵＴ１０３は、そのＰＷＭ信号に基づいて定電流Ｉ１〜Ｉ３を発生し、それぞれ対応するＬＥＤ群Ｇ１０１〜Ｇ１０３に流す。
【特許文献１】特開２００６−１６４６３１号公報（２００６年６月２２日公開）
【特許文献２】特開２００６−１６４８４２号公報（２００６年６月２２日公開）
【発明の開示】
【発明が解決しようとする課題】
【０００７】
上記のＬＥＤドライバ１０１では、ＰＷＭ制御時に定電流出力が全て同時にオン・オフしてしまうため、消費電流が大きく変化してしまう。図１０にその定電流出力波形を示す。図１０に示すように、各定電流Ｉ１〜Ｉ３は同じタイミングでオン・オフしており、トータルでの出力電流Ｉtotalも同じタイミングで大きく変化をしている。このため、ＬＥＤドライバ１０１に供給される電源電圧が変動してしまう。このような不都合は、液晶パネルのサイズが大きくなり、ＬＥＤの使用灯数が増加することでより顕著になる。
【０００８】
本発明は、上記の問題点に鑑みてなされたものであり、その目的は、各定電流出力回路がＬＥＤに流す定電流が同時にオン・オフすることを回避できるＬＥＤドライバを提供することにある。
【課題を解決するための手段】
【０００９】
本発明に係るＬＥＤドライバは、複数の定電流出力回路を有し、各定電流出力回路に接続されたＬＥＤの輝度をＰＷＭ信号により制御するＰＷＭ制御手段を備えたＬＥＤドライバにおいて、上記課題を解決するために、前記ＰＷＭ信号に基づいて、順次位相差を設けた、前記定電流出力回路と同数のＰＷＭ信号を各定電流出力回路に出力する多相ＰＷＭ信号発生手段を備えていることを特徴としている。
【００１０】
上記の構成によれば、各定電流出力回路に入力するＰＷＭ信号に順次位相差を設けることにより、定電流が同時にオン・オフすることを避けることができる。これにより、ＬＥＤドライバのトータルの出力電流の変化幅を小さくすることができる。
【００１１】
前記ＬＥＤドライバにおいては、前記多相ＰＷＭ信号の最も遅れた位相の位相遅れが、最も早い位相に対して１８０度以上でかつ３６０度未満であることが好ましい。これにより、各定電流出力回路の電流を、液晶表示装置の表示周期に適合するように、周期的に変化させることができる。
【００１２】
前記ＬＥＤドライバにおいては、前記多相ＰＷＭ信号の位相差が略等しいことが好ましい。これにより、出力電流トータルでの変化を最小限に抑えることが可能になる。
【００１３】
前記ＬＥＤドライバにおいては、前記多相ＰＷＭ信号発生手段が、例えば、前記ＰＷＭ信号を前記位相差分遅延させるロジックカウンターであってもよい。これにより、容易に多相ＰＷＭ信号を発生することができる。
【００１４】
前記ＬＥＤドライバにおいては、位相制御にコンデンサと抵抗を使用して、前記ＰＷＭ信号を前記位相差分遅延させる時定数回路を使用したＬＥＤドライバでＰＷＭ制御を行ったときに、各電流出力回路に入力するＰＷＭ信号に順次位相差を設けることで、消費電流の変化を抑えることが可能になる。
【００１５】
本発明の他のＬＥＤドライバは、複数の定電流出力回路を有し、各定電流出力回路に接続されたＬＥＤの輝度をＰＷＭ信号により制御するＬＥＤドライバにおいて、上記の課題を解決するために、前記ＰＷＭ信号に位相差が設けられた多相ＰＷＭ信号を外部から個々に入力し、それぞれ対応する前記定電流出力回路に接続されている入力端子を備えていることを特徴としている。
【００１６】
上記の構成によれば、順次位相差を設けた多相ＰＷＭ信号を各定電流出力回路に入力することにより、定電流が同時にオン・オフすることを避けることができる。これにより、ＬＥＤドライバのトータルの出力電流の変化幅を小さくすることができる。
【００１７】
上記ＬＥＤドライバにおいては、前記ＬＥＤが、バックライトユニットに設けられ、ブロック単位で各定電流出力回路による電流供給を受け、前記多相ＰＷＭ信号発生手段が、ブロック毎に設けられた各定電流出力回路に対して、多相ＰＷＭ信号を発生し、前記ＰＷＭ制御手段が、前記ＰＷＭ信号のデューティ比をそれぞれ変更することが好ましい。これにより、各定電流出力回路に入力する多相ＰＷＭ信号のデューティ比をそれぞれ変更して、ＬＥＤの輝度制御を各ブロックで個別に行い、ブロック単位でのアクティブ調光に対応することができる。
【００１８】
先のＬＥＤドライバにおいては、前記ＰＷＭ制御手段が、周囲光の照度を測定する照度センサーによる測定結果に基づいて前記ＰＷＭ信号のデューティ比を制御することが好ましい。これにより、各定電流出力回路に入力する多相ＰＷＭ信号に順次位相差を設けた状態で、周囲光に応じてＬＥＤの輝度を制御することができる。
【００１９】
先のＬＥＤドライバにおいては、前記ＰＷＭ制御手段が、液晶パネルに表示する映像の輝度に基づいて前記ＰＷＭ信号のデューティ比を制御することが好ましい。これにより、各定電流出力回路ＯＵＴ１〜ＯＵＴ３に入力するＰＷＭ信号に順次位相差を設けた状態で、液晶パネル５に表示する映像の輝度に応じてＬＥＤ群Ｇ１〜Ｇ３の輝度を制御することができる。
【００２０】
本発明の電子機器は、前記ＬＥＤを備えた電子機器であって、上記のいずれかの構成のＬＥＤドライバを前記ＬＥＤを駆動するために備えている。これにより、ＬＥＤの消費電流の変化を抑制することができる。
【発明の効果】
【００２１】
本発明に係るＬＥＤドライバは、以上のように、各定電流出力回路に入力するＰＷＭ信号に順次位相差を設けることにより、定電流が同時にオン・オフすることを避けることができる。これにより、ＬＥＤドライバの消費電流の変化を抑えることにより、ＬＥＤドライバに供給される電源電圧の変動を抑えることができるという効果を奏する。
【発明を実施するための最良の形態】
【００２２】
本発明の一実施形態について図１ないし図８に基づいて説明すると、以下の通りである。
【００２３】
図１は、本実施の形態の基本となるＬＥＤドライバ１の構成を示している。このＬＥＤ１は、例えば、電子機器としての液晶表示装置におけるバックライトユニットに設けられるＬＥＤを駆動するために設けられている。
【００２４】
図１に示すように、ＬＥＤドライバ１は、ＬＥＤ群Ｇ１〜Ｇ３を点灯駆動するための駆動回路であり、ＬＥＤ群Ｇ１〜Ｇ３ＰＷＭ部２と、３つの定電流出力回路ＯＵＴ１〜ＯＵＴ３とを備えている。
【００２５】
定電流出力回路ＯＵＴ１〜ＯＵＴ３は、ＰＷＭ部２から供給される３相のＰＷＭ信号が個々に与えられており、それぞれのＰＷＭ信号に基づいて、ＬＥＤ群Ｇ１〜Ｇ３に流す定電流Ｉ１〜Ｉ３を発生する。定電流出力回路ＯＵＴ１〜ＯＵＴ３は、ＰＷＭ信号のＨレベルの期間でオンして定電流Ｉ１〜Ｉ３を流す一方、ＰＷＭ信号のＬレベルの期間でオフして定電流Ｉ１〜Ｉ３を流さない。
【００２６】
ＰＷＭ部２は、上記の３相のＰＷＭ信号を発生するために、ＰＷＭ信号発生回路２１および位相差発生回路２２を有している。
【００２７】
ＰＷＭ信号発生回路２１は、所定のデューティ比に設定された単相のＰＷＭ信号を発生する回路である。
【００２８】
位相差発生回路２２は、ＰＷＭ部２からのＰＷＭ信号の位相をずらすことにより、位相の異なる３相のＰＷＭ信号を出力する。具体的には、位相差発生回路２２は、第１相のＰＷＭ信号として、入力されたＰＷＭ信号をそのまま、または遅延させて出力し、定電流出力回路ＯＵＴ１に与える。また、位相差発生回路２２は、第２相のＰＷＭ信号として、第１相のＰＷＭ信号を所定時間遅延させて出力し、定電流出力回路ＯＵＴ２に与える。また、位相差発生回路２２は、第３相のＰＷＭ信号として、第２相のＰＷＭ信号を所定時間遅延させて出力し、定電流出力回路ＯＵＴ３に与える。
【００２９】
第１相ないし第３相の隣接する各ＰＷＭ信号間の位相差は、等しく（略等しく）なるように設定されている。また、最も早い位相の第１相のＰＷＭ信号に対して最も位相の遅れた第３相のＰＷＭ信号の位相の遅れが、１８０°以上かつ３６０°未満となるように設定されている。
【００３０】
例えば、第１相ないし第３相の各ＰＷＭ信号間の位相差が１２０°に等しく設定されている場合、最も遅れた位相の第３相のＰＷＭ信号の位相遅れが、最も早い位相の第１相のＰＷＭ信号に対して２４０°となる。
【００３１】
図２および図３は、ＰＷＭ部２の具体的な構成を含むＬＥＤドライバ１の構成を示している。
【００３２】
図２に示すＬＥＤドライバ１は、位相差発生回路２２として、ロジックカウンター２２ａを有している。ロジックカウンター２２ａは、例えば、リングカウンターで構成されており、入力されたＰＷＭ信号を順次等しい位相差で各ビット出力端子から３相のＰＷＭ信号を出力する。
【００３３】
また、図３に示すＬＥＤドライバ１は、位相差発生回路２２として、ＣＲ時定数回路２２ｂを有している。ＣＲ時定数回路２２ｂは、バッファＢ１〜Ｂ３と、抵抗Ｒ１，Ｒ２と、コンデンサＣ１，Ｃ２とからなる。バッファＢ１は、ＰＷＭ信号発生回路２１からのＰＷＭ信号が入力される。バッファＢ１に入力されるＰＷＭ信号は、定電流出力回路ＯＵＴ１にも入力される。バッファＢ１の出力端子とバッファＢ２の入力端子との間には抵抗Ｒ１が接続されている。また、抵抗Ｒ１およびバッファＢ２の接続点とグランドとの間にはコンデンサＣ１が接続されている。バッファＢ２の出力端子とバッファＢ３の入力端子との間には抵抗Ｒ２が接続されている。また、抵抗Ｒ２およびバッファＢ３の接続点とグランドとの間にはコンデンサＣ２が接続されている。バッファＢ２から出力される遅延したＰＷＭ信号は、定電流出力回路ＯＵＴ２に入力される。バッファＢ３から出力されるさらに遅延したＰＷＭ信号は、定電流出力回路ＯＵＴ３に入力される。
【００３４】
位相差発生回路２２は、ＰＷＭ信号から上記の位相関係を持った３相のＰＷＭ信号を発生できればよく、上記の例に限定されない。例えば、シフトレジスタのようにパルス信号を遅延させる機能を有する回路を位相差発生回路２２として用いてもよい。シフトレジスタを位相差発生回路２２として用いると、クロックの周波数によって、位相差を適宜設定することができる。
【００３５】
上記のように構成されるＬＥＤドライバ１の動作について説明する。図４は、その動作を説明するための定電流Ｉ１〜Ｉ３の波形を示している。
【００３６】
ＰＷＭ信号発生回路２１からＰＷＭ信号が出力されると、位相差発生回路２２からは、そのＰＷＭ信号に基づいて３相のＰＷＭ信号が出力され、それぞれ定電流出力回路ＯＵＴ１〜ＯＵＴ３に供給される。これにより、定電流出力回路ＯＵＴ１〜ＯＵＴ３からは定電流Ｉ１〜Ｉ３が出力され、ＬＥＤ群Ｇ１〜Ｇ３にそれぞれ流される。
【００３７】
ここで、図４（ａ）に示すように、ＰＷＭ信号発生回路２１から出力されるＰＷＭ信号のデューティ比が５０％に設定されている場合、定電流Ｉ１〜Ｉ３のうち２つのオン期間が一部重なる。この場合は、トータルでの出力電流Ｉtotalの変化が定電流Ｉ１〜Ｉ３の１倍から２倍の間に抑えられており、電流の変化幅が小さくなっていることがわかる。
【００３８】
図４（ｂ）に示すように、ＰＷＭ信号発生回路２１からのＰＷＭ信号のデューティ比が１７％に設定されている場合、定電流Ｉ１〜Ｉ３のオン期間はいずれも重ならない。この場合は、トータルでの出力電流Ｉtotalの変化が定電流Ｉ１〜Ｉ３の０から１倍の間に抑えられており、図４（ａ）に示す場合と同様、電流の変化幅が小さくなっていることがわかる。
【００３９】
図４（ｃ）に示すように、ＰＷＭ信号発生回路２１からのＰＷＭ信号のデューティ比が８３％に設定されている場合、定電流Ｉ１〜Ｉ３の全てのオン期間一部が重なる。この場合は、トータルでの出力電流Ｉtotalの変化が定電流Ｉ１〜Ｉ３の２倍から３倍の間に抑えられており、図４（ａ），（ｂ）に示す場合と同様、電流の変化幅が小さくなっていることがわかる。
【００４０】
従来のＬＥＤドライバ１０１では、図１０に示すように、定電流Ｉ１〜Ｉ３のオン・オフのタイミングが同じであるために、出力電流Ｉtotalが同じタイミングで大きく変化している。これに対し、ＬＥＤドライバ１では、３相のＰＷＭ信号に順次位相差を設けることにより、上記のように、出力電流Ｉtotalの変化幅を定電流Ｉ１〜Ｉ３のレベルに抑えることができる。したがって、ＬＥＤドライバ１に供給される電源電圧の変動を抑えることができる。また、ＰＷＭ信号の位相差の和が３６０°に設定されているので、定電流Ｉ１〜Ｉ３を周期的に変化させることができる。
【００４１】
出力数をｎとすると、ｎ相のＰＷＭ信号のデューティ比は全て同じであるため、各ＰＷＭ信号の位相差も全て等しくすると、トータルの電流量でみると、ＰＷＭ信号の周波数のｎ倍の周波数での周期的な信号となる。この周期では、トータルの電流量は、デューティ比が０〜１／ｎの範囲では、０から１出力分の電流量に収まり、デューティ比が１／ｎ〜２／ｎの範囲では、１出力分の電流量から２出力分の電流量に収まり、デューティ比がｍ／ｎ〜（ｍ＋１）／ｎの範囲では、ｍ出力分の電流量から（ｍ＋１）出力分の電流量に収まる。つまり、位相差を全て等しくすることにより、トータルの電流量の変動は１出力分の電流変化に収めることが可能になる。
【００４２】
液晶パネルにおいて、一定の周期で走査することによって表示が行われる。このため、バックライトの点滅周期によっては干渉を起こし表示品位が悪化する場合があり、これを防ぐため、点滅周期の調整が必要となる。バックライトの点滅が周期に変化しない場合、調整により干渉の発生を防ぐことができない。そのため、バックライトの周期的な点滅が必要である。このことから、ＰＷＭ信号の位相差の和が３６０°であることが好ましい。
【００４３】
上記のＬＥＤドライバ１は、ＰＷＭ部２を内部に含み、３相のＰＷＭ信号を定電流出力回路ＯＵＴ１〜ＯＵＴ３に供給しているが、３相のＰＷＭ信号は外部から供給される構成であってもよい。図５は、そのような構成のＬＥＤドライバ３１の構成を示している。
【００４４】
図５に示すように、ＬＥＤドライバ３１は、定電流出力回路ＯＵＴ１〜ＯＵＴ３を備えているが、ＬＥＤドライバ１と異なり、ＰＷＭ部２は備えていない。ＬＥＤドライバ３１は、その代わりに、ＰＷＭ信号入力端子Ｔ１〜Ｔ３を備えている。これにより、ＬＥＤドライバ３１は、ＰＷＭ信号入力端子Ｔ１〜Ｔ３を介して、外部（例えばＰＷＭ部２と同等の機能を有するＰＷＭ部３２）からの３相のＰＷＭ信号が入力され、それぞれ定電流出力回路ＯＵＴ１〜ＯＵＴ３に供給される。
【００４５】
続いて、ＬＥＤドライバ１の応用について説明する。図６ないし図７は、この応用の構成を示している。
【００４６】
図６に示すように、ＬＥＤドライバ１のＰＷＭ部２（ＰＷＭ信号発生回路２１）は、周囲光の照度センサー３からの照度測定値に基づいてＰＷＭ信号のデューティ比を制御する。これにより、各定電流出力回路ＯＵＴ１〜ＯＵＴ３に入力するＰＷＭ信号に順次位相差を設けた状態で、周囲光に応じてＬＥＤ群Ｇ１〜Ｇ３の輝度を制御することができる。
【００４７】
図７に示すように、ＬＥＤドライバ１のＰＷＭ部２（ＰＷＭ信号発生回路２１）は、液晶コントローラ４から液晶パネル５に表示する映像の輝度信号の情報が入力され、その情報に基づいてＰＷＭ信号のデューティ比を制御する。これにより、各定電流出力回路ＯＵＴ１〜ＯＵＴ３に入力するＰＷＭ信号に順次位相差を設けた状態で、液晶パネル５に表示する映像の輝度に応じてＬＥＤ群Ｇ１〜Ｇ３の輝度を制御することができる。
【００４８】
図８に示すように、ＬＥＤドライバ４１は、ＰＷＭ部４２と、定電流出力回路ＯＵＴ１−ｎ，…，ＯＵＴ１−１，…，ＯＵＴｍ−１，…，ＯＵＴｍ−ｎとを備えている。ＬＥＤドライバ４１は、アクティブ調光型のバックライトユニット５１に定電流を流すために設けられている。バックライトユニット５１においては、ＬＥＤがｍ×ｎのブロックに分割されたＬＥＤ群Ｂ１−１，…，Ｂ１−ｎ，…，Ｂｍ−１，…，Ｂｍ−ｎに分割されている。各ブロックには、１個もしくは複数個のＬＥＤが配置されている。
【００４９】
ＰＷＭ部４２は、前述のＰＷＭ部２と同等の機能を有しているが、単相のＰＷＭ信号からｍ×ｎ相のＰＷＭ信号を出力することが、ＰＷＭ部２と異なる。また、ｍ×ｎ相のＰＷＭ信号間の位相差は等しく、その和が３６０°となっている。
【００５０】
定電流出力回路ＯＵＴ１−ｎ，…，ＯＵＴ１−１，…，ＯＵＴｍ−１，…，ＯＵＴｍ−ｎは、それぞれ上記のＬＥＤ群Ｂ１−１，…，Ｂ１−ｎ，…，Ｂｍ−１，…，Ｂｍ−ｎに個別に定電流を流す。
【００５１】
このように、ブロック毎にアクティブ調光を行うバックライトユニット５１においても、ＰＷＭ信号に順次位相差を設けることによって、各ブロックに供給する定電流の変化幅を小さくすることができる。また、各定電流出力回路ＯＵＴ１−ｎ，…，ＯＵＴ１−１，…，ＯＵＴｍ−１，…，ＯＵＴｍ−ｎに入力するＰＷＭ信号のデューティ比をそれぞれ変更して、ブロック毎のアクティブ調光を実現することができる。
【００５２】
なお、ＬＥＤドライバ４１に前述のＬＥＤドライバ３１を適用することも可能である。
【００５３】
また、ＬＥＤドライバ１，３１は、液晶表示装置に限らず、他の表示装置や照明機器等の電子機器に適用されてもよい。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５５】
本発明のＬＥＤドライバは、ＰＷＭ信号から位相差を有する多相のＰＷＭ信号を生成し、ＬＥＤに定電流を流すための複数の定電流出力回路に個別に供給することにより、定電流出力回路が同時に定電流をオン・オフさせることがなくなり、ＬＥＤドライバに供給する電源電圧の変動を抑えることができるので、液晶表示装置のバックライトユニットの駆動などに好適に利用できる。
【図面の簡単な説明】
【００５６】
【図１】本発明の実施の一形態を示すＬＥＤドライバの構成を示すブロック図である。
【図２】上記ＬＥＤドライバの具体的な構成を示すブロック図である。
【図３】上記ＬＥＤドライバの具体的な他の構成を示すブロック図である。
【図４】（ａ）ないし（ｃ）は上記ＬＥＤドライバの出力電流波形を示す波形図である。
【図５】上記ＬＥＤドライバの応用例の構成を示すブロック図である。
【図６】上記ＬＥＤドライバの他の応用例の構成を示すブロック図である。
【図７】上記ＬＥＤドライバのさらに他の応用例の構成を示すブロック図である。
【図８】アクティブ調光型のバックライトユニットのＬＥＤ群を駆動するＬＥＤドライバの構成を示すブロック図である。
【図９】従来のＬＥＤドライバの構成を示すブロック図である。
【図１０】図９のＬＥＤドライバの出力電流波形を示す波形図である。
【符号の説明】
【００５７】
１    ＬＥＤドライバ
２    ＰＷＭ部
３    照度センサー
４    液晶コントローラ
５    液晶パネル
２１    ＰＷＭ信号発生回路
２２    位相差発生回路
２２ａ  ロジックカウンター
２２ｂ  ＣＲ時定数回路
３１    ＬＥＤドライバ
４１    ＬＥＤドライバ
５１    バックライトユニット
Ｂ１−１，…，Ｂ１−ｎ，…，Ｂｍ−１，…，Ｂｍ−ｎ  ＬＥＤ群
Ｇ１〜Ｇ３  ＬＥＤ群
ＯＵＴ１〜ＯＵＴ３  定電流出力回路
ＯＵＴ１−ｎ，…，ＯＵＴ１−１，…，ＯＵＴｍ−１，…，ＯＵＴｍ−ｎ  定電流出力回路
Ｔ１〜Ｔ３  ＰＷＭ信号入力端子
【図１】
2009188135.tif 000003
【図２】
2009188135.tif 000004
【図３】
2009188135.tif 000005
【図４】
2009188135.tif 000006
【図５】
2009188135.tif 000007
【図６】
2009188135.tif 000008
【図７】
2009188135.tif 000009
【図８】
2009188135.tif 000010
【図９】
2009188135.tif 000011
【図１０】
2009188135.tif 000012